(57)【要約】【課題】部品点数が少なく，設置位置の制約を受けない配線ガイド部を備えた画像形成装置用の駆動力伝達ユニットを提供すること。【解決手段】駆動力伝達ユニット１０には，板金フレーム５と樹脂ホルダ６とからなるハウジング４内に駆動力伝達系が収容されている。そして，ハウジング４では，駆動力伝達系を構成する各軸が板金フレーム５に支持され，板金フレーム５側の側面に各軸の先端部が突出している。さらに，軸群２のうちの固定軸２ａの先端部には，配線をガイドする配線ガイド部３が設けられている。配線ガイド部３は，固定軸２ａの先端部が２分に先割れした形状となっている。この配線ガイド部３の割れ目に配線７を挟み込むことにより，配線７が固定される。【選択図】            図３
2006227208.tif 000002
【特許請求の範囲】
【請求項１】
画像形成装置用の駆動力伝達ユニットにおいて，
少なくとも一部に板金部を有するハウジング部材と，
前記ハウジング部材に収容され，少なくとも一方の端部が前記ハウジング部材の板金部と係合する固定軸部材と，
前記ハウジング部材の板金部と係合する前記固定軸部材の端部に配設され，配線をガイドする配線ガイド部とを備えることを特徴とする画像形成装置用の駆動力伝達ユニット。
【請求項２】
請求項１に記載する画像形成装置用の駆動力伝達ユニットにおいて，
前記配線ガイド部は，前記固定軸部材と一体的に成形されていることを特徴とする画像形成装置用の駆動力伝達ユニット。
【請求項３】
請求項１に記載する画像形成装置用の駆動力伝達ユニットにおいて，
前記配線ガイド部は，前記固定軸部材の端部に対して着脱可能であることを特徴とする画像形成装置用の駆動力伝達ユニット。
【発明の詳細な説明】
【技術分野】
【０００１】
本発明は，駆動力伝達系を備えた画像形成装置用の駆動力伝達ユニットに関する。さらに詳細には，シンプルな構成で配線をガイドすることが可能な画像形成装置用の駆動力伝達ユニットに関するものである。
【背景技術】
【０００２】
従来から，電子写真方式の画像形成装置では，感光体ドラムや定着ローラ等の回転動作を行う回転体が備えられている。また，画像形成装置には，それらの回転体を回転させるため，メインモータからの駆動力を回転体に伝達する駆動力伝達系を備えた駆動力伝達ユニットが備えられている。
【０００３】
駆動力伝達ユニットは，主として，ギアや回転軸等々の駆動力伝達部材と，その駆動力伝達部材を収容するハウジング部材とによって構成されている。また，ハウジング部材は，板金フレームと，その板金フレームと嵌合する樹脂ホルダとによって構成されているものが一般的である。さらに，駆動力伝達ユニットには，板金フレームの内側あるいは外側に装着された電装部品に幾つもの配線が接続されている。そこで，例えば図１０に示すように，配線小物８を板金フレーム５に嵌め込み，その配線小物８によって配線を固定している。
【０００４】
配線を板金フレームに固定するための配線小物としてはさまざまな形態のものが実用化されている。配線小物の具体例としては，例えば特許文献１に開示されているクランプや特許文献２に開示されているクリップがある。
【特許文献１】実用新案第２５２２１２９号公報
【特許文献２】実公平６−２３１４４号公報
【発明の開示】
【発明が解決しようとする課題】
【０００５】
しかしながら，前記した従来の駆動力伝達ユニットには，次のような問題があった。すなわち，配線小物を使用すると，部品点数が多くなる。そのため，コストアップを招く。また，図１０に示したように，配線小物８は，板金フレーム５と係合する際に，その係合部が板金フレーム５を貫通して板金フレーム５の内側にはみ出すことになる。そのため，ギア等の駆動力伝達部材や電装部品が板金フレームに隣接配置されていると，配線小物の取付けが困難になる。つまり，板金フレームの内壁近傍に配置された駆動力伝達部材や電装部品との兼ね合いから，配線小物を設ける位置に制約が生じる。そのため，配線が複雑になる，あるいは配線できないといった問題が生じる。
【０００６】
また，配線をハウジング部材に固定する手段として，樹脂ホルダではその一部に略Ｌ字形状に形成されたフック部が設けられている。しかし，板金フレームに樹脂ホルダと同じようなフック部を設けることは製造上困難である。そのため，板金フレーム側の配線処理の問題を解決することができない。
【０００７】
本発明は，前記した従来の技術が有する問題点を解決するためになされたものである。すなわちその課題とするところは，部品点数が少なく，設置位置の制約を受けない配線ガイド部を備えた画像形成装置用の駆動力伝達ユニットを提供することにある。
【課題を解決するための手段】
【０００８】
この課題の解決を目的としてなされた駆動力伝達ユニットは，画像形成装置用の駆動力伝達ユニットであって，少なくとも一部に板金部を有するハウジング部材と，そのハウジング部材に収容され，少なくとも一方の端部がハウジング部材の板金部と係合する固定軸部材と，ハウジング部材の板金部と係合する固定軸部材の端部に配設され，配線をガイドする配線ガイド部とを備えることを特徴としている。
【０００９】
すなわち，本発明の駆動力伝達ユニットは，感光体ドラムや定着ローラ等の回転動作を行う回転体に駆動力を伝達するものであって，駆動力伝達系がハウジング部材に収容されている。ハウジング部材は，少なくとも一部が板金のフレームからなり，剛性を備えている。駆動力伝達系は，回転軸，ギア列等からなり，メインモータ等の駆動源からの回転駆動力を回転体に伝達する。また，ハウジング部材内には，中間ギアを支持する固定軸部材が収容されており，固定軸部材の少なくとも一方の端部がハウジング部材の板金部に支持されている。
【００１０】
さらに，その固定軸部材の先端部には，配線をガイドする配線ガイド部が設けられている。配線ガイド部は，配線ガイド機能を備えたものであればその形状は限定しない。例えば，Ｖ字状にカットされた溝状をなし，その谷間で配線を把持するものや，略Ｌ字状に成形された形状をなし，そのフック部で配線を案内するものがある。
【００１１】
この配線ガイド部は，固定軸部材の軸方向の端部に設けられていることから，ハウジング部材内の駆動力伝達部材等と接触することはない。そのため，駆動力伝達部材が隣接配置されているエリア内でも配線を固定することができる。よって，設置位置の制約を受けない。また，固定軸部材の先端部が配線ガイド機能を兼ねるため，配線小物を削減することができ，部品点数の削減が図られる。
【００１２】
また，配線ガイド部は，固定軸部材と一体的に成形されていることとするとよりよい。すなわち，配線を保持する配線ガイド部が固定軸部材の一部となっていることで，配線ガイド部の設置の手間を省くことができる。なお，固定軸部材は，樹脂軸とすることにより一体的な成形が容易となる。また，配線ガイド部が固定軸部部材と一体であるため，配線小物等を別途に用意する必要がなく，部品点数が少なくなる。
【００１３】
また，配線ガイド部は，固定軸部材の端部に対して着脱可能であることとしてもよい。すなわち，配線ガイド部を着脱可能とすることで，任意の固定軸部材上に配線ガイド部を設けることができる。よって，部品点数の削減が図られる。また，配線の配置に合わせて適切な形状の配線ガイド部を配置することができる。
【発明の効果】
【００１４】
本発明によれば，配線ガイド部を固定軸部材上に設けることにより配置の制約が緩和される。さらに，配線ガイド部を固定軸部材と一体的に設けることで部品点数を削減できる。従って，部品点数が少なく，設置位置の制約を受けない配線ガイド部を備えた画像形成装置用の駆動力伝達ユニットおよび画像形成装置が実現している。
【発明を実施するための最良の形態】
【００１５】
以下，本発明を具体化した実施の形態について，添付図面を参照しつつ詳細に説明する。なお，本実施の形態は，電子写真方式のカラー複写機に搭載される駆動力伝達ユニットに本発明を適用したものである。
【００１６】
本形態の画像形成装置は，タンデム方式のフルカラー複写機であり，図１に示すように並列に配置された４つの作像ユニットを有するものである。本形態のカラー複写機は，イメージリーダ部１００と，プリンタ部２００とを備えている。イメージリーダ部１００は，原稿ガラス板に載置された原稿の画像をスキャナ等で読み撮るものである。
【００１７】
プリンタ部２００は，イメージリーダ部１００にて読み撮られた画像を基に，記録用紙上に画像を形成するものである。詳細には，プリンタ部２００は色ごとに，作像部４０Ｋ，４０Ｃ，４０Ｍ，４０Ｙを有している。また，その他に制御部３０，給紙部５０，定着部８０，転写ベルト１０３，２次転写ローラ１０４等を有している。作像部４０Ｋ，４０Ｃ，４０Ｍ，４０Ｙは，ＬＥＤアレイ７０Ｋ，７０Ｃ，７０Ｍ，７０Ｙと，トナー像を形成する画像プロセス部６０Ｋ，６０Ｃ，６０Ｍ，６０Ｙと，形成されたトナー像を転写ベルト１０３上に転写する１次転写ローラ４５Ｋ，４５Ｃ，４５Ｍ，４５Ｙとを有している。さらに，画像プロセス部６０Ｋ，６０Ｃ，６０Ｍ，６０Ｙは，トナー像を担持する感光体ドラム４１Ｋ，４１Ｃ，４１Ｍ，４１Ｙを有し，これを中心として帯電チャージャ４２Ｋ，４２Ｃ，４２Ｍ，４２Ｙ，現像器４３Ｋ，４３Ｃ，４３Ｍ，４３Ｙ，クリーナ４４Ｋ，４４Ｃ，４４Ｍ，４４Ｙ等を有している。また，給紙部５０は，記録用紙Ｓを収納する給紙カセット５１と，記録用紙Ｓを給紙カセット５１から取り出す給紙ローラ５２と，転写ベルト１０３に送り出すタイミングをとるレジストローラ５３とを有している。また，定着部８０は，トナー像を記録用紙に定着させる定着ローラ８２と，記録用紙Ｓを排紙カセット８１に排出する排紙ローラ８３とを有している。
【００１８】
次に，本形態の駆動力伝達ユニットの一例について，図２ないし図４を基に説明する。本形態の駆動力伝達ユニット１０は，図１に示したカラー複写機内に設置され，本駆動力伝達ユニットに隣接配置されたメインモータからの駆動力を感光体ドラム４１Ｋに伝達するものである。
【００１９】
図２は，本形態の駆動力伝達ユニット１０内部の概略構成を示している。駆動力伝達ユニット１０は，複数のギアによって構成されるギア列１と，ギア列１を構成する各ギアを回転自在に支持する軸群２とを備えている。ギア列１は，例えば，各回転体に駆動源であるメインモータの出力軸に軸着されたメインモータギアや，メインモータギアに伝達された駆動力を減速伝達するための減速ギア等によって構成されている。また，軸群２は，メインモータギア等が固着された回転軸や，減速ギア等の中間ギアを支持する固定軸によって構成されている。
【００２０】
また，駆動力伝達ユニット１０は，ギア列１および軸群２を収容するハウジング４を有している。ハウジング４は，主として，剛性を備えた板金フレーム５と，その板金フレーム５と嵌合する樹脂ホルダ６とによって構成される。板金フレーム５の外側には，メインモータやメカニカルコントローラ基板等が隣接配置されている。また，板金フレーム５は，軸群２を構成する各軸と係合し，それら各軸を支持している。具体的に，板金フレーム５には，各軸を支持するための貫通穴が幾つか設けられており，その貫通穴に各軸の先端部を嵌入することによって各軸が板金フレーム５に支持される。
【００２１】
図３は，本形態の駆動力伝達ユニット１０の外観を示している。また，図４は，軸群２中の固定軸２ａと板金フレーム５との嵌合部の断面を示している。図３に示したように，駆動力伝達ユニット１０の板金フレーム５側の側面には，各軸の先端部が突出している。さらに，本形態の固定軸２ａは，樹脂軸であり，その先端部が２分に先割れした形状に成形されている。そして，図４に示したように，その割れ目に配線７を挟み込むことにより，固定軸２ａの先端部にて配線を把持している。すなわち，軸群２のうちの固定軸２ａの先端部には，配線をガイドする配線ガイド部３が設けられている。
【００２２】
この配線ガイド部３は，固定軸２ａの軸方向上に配設されている。そのため，ギア列１等との接触の問題は生じない。また，配線ガイド部３は，固定軸２ａと一体的に成形されている。そのため，配線ガイド部３による部品点数の増加は生じない。そのため，部品点数の削減が図られる。
【００２３】
なお，本形態の配線ガイド部３は，固定軸２ａの先端部が２分に先割れした形状であるが，配線ガイド部３の形状はこれに限るものではない。例えば，図５や図６に示すようにフック部として機能する略Ｌ字の形状であってもよい。また，図７に示すように，十字状に４分割した形状であってもよい。この形状の場合，２本の配線をまとめて固定することができる。また，図８に示すように複数箇所に切れ込みが設けられた形状としてもよい。この形状の場合，複数本の配線をまとめて固定することができる。また，図９に示すように先端部の円周上に溝を設け，その溝に巻きつけて固定するようにしてもよい。この他，配線を固定することができる形状であれば適用可能である。
【００２４】
また，本形態では，配線ガイド部３が固定軸２ａに一体的に設けられているが，別々に設けられているものであってもよい。すなわち，配線ガイド部３は，軸群２の各軸の端部に対して着脱可能であってもよい。配線ガイド３を着脱可能とすることで，任意の固定軸２ａ上に配線ガイド３を設けることができる。また，配線の種類あるいは配線の状態に適した形状の配線ガイド部３を適宜組み合わせることができる。
【００２５】
以上詳細に説明したように本形態の駆動力伝達ユニット１０では，板金フレーム５と固定軸２ａとが係合しており，係合する固定軸２ａの先端部には配線ガイド部３を設けることとしている。配線ガイド部３は，固定軸２ａの軸方向上に配設されているため，配線ガイド部３がハウジング４内にはみ出すことがない。よって，ギア列１等が板金フレーム５の近傍に配置されていたとしても，設置位置の制約を受けることなく配線をガイドすることができる。また，固定軸２ａの先端部が配線ガイド機能を兼ねるため，配線小物を削減することができる。従って，部品点数が少なく，設置位置の制約を受けない配線ガイド部を備えた画像形成装置用の駆動力伝達ユニットが実現している。
【００２６】
また，固定軸２ａは，配線ガイド部３と一体的に成形されていることから，構造がシンプルでかつサイズがコンパクトである。本形態の固定軸２ａは樹脂軸であり，各種形状の配線ガイド部３を容易に設けることができる。また，配線小物を板金フレーム５に配設する手間が省けることから，製造が容易となる。
【００２７】
なお，本実施の形態は単なる例示にすぎず，本発明を何ら限定するものではない。したがって本発明は当然に，その要旨を逸脱しない範囲内で種々の改良，変形が可能である。例えば，実施の形態では複写機に本発明を適用しているがこれに限るものではない。すなわち，スキャナやＦＡＸ等であっても現像装置を有するものであれば適用可能である。また，モノクロ画像専用のものであってもよい。また，タンデム方式に限らず，例えば４サイクル方式であってもよい。また，電子写真方式に限らず，例えばインクジェット方式であってもよい。
【図面の簡単な説明】
【００２８】
【図１】実施の形態に係るカラー複写機の構成を示す概略図である。
【図２】実施の形態に係る駆動力伝達ユニット内部の概略構成を示す分解斜視図である。
【図３】実施の形態に係る駆動力伝達ユニットの外観を示す図である。
【図４】実施の形態に係る配線ガイド部を示す断面図である。
【図５】応用例に係る配線ガイド部を示す斜視図（その１）である。
【図６】応用例に係る配線ガイド部を示す斜視図（その２）である。
【図７】応用例に係る配線ガイド部を示す斜視図（その３）である。
【図８】応用例に係る配線ガイド部を示す斜視図（その４）である。
【図９】応用例に係る配線ガイド部を示す斜視図（その５）である。
【図１０】従来の形態に係る配線ガイド部を示す断面図である。
【符号の説明】
【００２９】
１      ギア列（駆動力伝達系）
２      軸群
２ａ    固定軸（固定軸部材）
２ｂ    回転軸
３      配線ガイド部（配線ガイド部）
４      ハウジング（ハウジング部材）
５      板金フレーム（板金部）
６      樹脂ホルダ
７      配線
８      配線小物
１０    駆動力伝達ユニット（駆動力伝達ユニット）
【図１】
2006227208.tif 000003
【図２】
2006227208.tif 000004
【図３】
2006227208.tif 000005
【図４】
2006227208.tif 000006
【図５】
2006227208.tif 000007
【図６】
2006227208.tif 000008
【図７】
2006227208.tif 000009
【図８】
2006227208.tif 000010
【図９】
2006227208.tif 000011
【図１０】
2006227208.tif 000012